(57)【要約】【目的】画像表示装置の前方に配置されて遊技領域を形成する透明板を備えた構成において、透明板と画像表示装置との間に電気部品を配置しても、画像表示装置における画像表示面の視認性を低下させることのない遊技機を提供する。【構成】遊技盤と画像表示装置との間に配置される電気部品の接続配線１６０は、絶縁部材１６０ａの内部に複数の導電性部材１６０ｂを積層配置した構造である。このように構成することにより、電気部品の接続配線１６０を構成する複数の導電性部材１６０ｂを積層構造とすることで配線自体を目立たなくすることができ、ひいては画像表示装置における画像表示面の視認性を低下させることなく、透明板と画像表示装置との間に電気部品を配置することができる。【選択図】        図７
2004167161.tif 000002
【特許請求の範囲】
【請求項１】
透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、
前記遊技盤と前記画像表示装置との間には、遊技用の電気部品が配置され、該電気部品の接続配線は、絶縁部材の内部に複数の導電性部材を積層配置した構造であることを特徴とする遊技機。
【請求項２】
透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、
前記遊技盤と前記画像表示装置との間には、遊技用の電気部品が配置され、該電気部品の接続配線は、絶縁部材の内部に複数の導電性部材を並列配置した構造であることを特徴とする遊技機。
【請求項３】
前記絶縁部材は、透明な材質であることを特徴とする請求項１又は請求項２記載の遊技機。
【請求項４】
前記画像表示装置を投影式画像表示装置で構成すると共に、前記遊技盤又は該遊技盤の後方に配置される後部透明板に前記投影式画像表示装置が画像を投影する投影面を形成し、前記電気部品の接続配線を前記投影面から離反する方向に延ばし、投影面と投影式画像表示装置との間の空間に配置したことを特徴とする請求項１乃至請求項３のいずれかに記載の遊技機。
【請求項５】
前記電気部品は、遊技球の通過を検出する球検出スイッチであると共に、前記遊技盤の後方に後部透明板を配置し、前記遊技盤に遊技球の入球孔を設けると共に、前記遊技盤と前記後部透明板との間には前記入球孔に入った遊技球を前記球検出スイッチに誘導するための球誘導通路を形成する通路形成リブを設け、前記球検出スイッチの接続配線を前記通路形成リブに沿って配置したことを特徴とする請求項１乃至請求項４のいずれかに記載の遊技機。
【請求項６】
前記球検出スイッチの接続配線は、前記通路形成リブの外側壁面に沿って配置されることを特徴とする請求項５記載の遊技機。
【請求項７】
透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、
前記遊技盤と前記画像表示装置との間には、遊技用の電気部品が配置され、該電気部品の接続配線は、前記遊技盤又は該遊技盤の後方に配置される後部透明板に透明電極によってパターン蒸着されることを特徴とする遊技機。
【請求項８】
前記遊技盤と前記画像表示装置との間に配置される電気部品を複数設け、該複数の電気部品におけるそれぞれの接続配線を束ねて単一のコネクタに集約すると共に、当該コネクタを前記遊技領域以外に設けられる電気基板と接続したことを特徴とする請求項１乃至請求項７のいずれかに記載の遊技機。
【発明の詳細な説明】
【０００１】
【発明の属する技術分野】
本発明は、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機に関するものである。
【０００２】
【従来の技術】
従来、一般に、遊技機の一例としての弾球遊技機は、遊技盤に形成された遊技領域に遊技球を流下させ、遊技領域に設けた入賞口に遊技球が入賞することで遊技者に賞球を払い出して遊技を行うようになっていた。また、図柄を可変表示するＬＣＤ等の画像表示装置を遊技領域に設け、図柄の表示結果が予め定めた大当り図柄となったときに特定遊技状態を発生させて、多量の賞球を遊技者に払い出すものが提案されている。
【０００３】
また、上記した画像表示装置を備えた構成としては、画像表示装置の画像表示面を前方から視認可能に覆う透明板を設け、該透明板によって遊技球の流下が可能な遊技領域を形成するものがある。このような構成としては、画像表示装置外周の遊技領域を形成する透明板を備え、該透明板に形成された球流入口から受け入れた遊技球を障害柱や風車が形成された後面側の球通路を通して球流出口から再度遊技領域に放出するもの（例えば、特許文献１参照）や、遊技領域の上側半分を形成する透明板を備え、該透明板の前面には障害釘や風車を設ける一方、後面側には透明板とほぼ同じ大きさの画像表示面を有する画像表示装置を配置したもの（例えば、特許文献２参照）が提案されている。
【０００４】
【特許文献１】
特開平７−２５０９５４号公報（第４−７頁、図２）
【特許文献２】
特開平１１−７６５１７号公報（第２−５頁、図３）
【０００５】
【発明が解決しようとする課題】
ところで、上記特許文献１，２の構成において、画像表示装置の前方に配置されて遊技領域を形成する透明板と、画像表示装置との間に球検出スイッチ等の電気部品を配置した場合、電気部品の接続配線が画像表示装置における画像表示面の視認性を低下させることとなる。このため、特許文献１，２の構成では、透明板に電気部品が配置されていなかった。本発明は、上記した問題点に鑑みなされたもので、その目的とするところは、画像表示装置の前方に配置されて遊技領域を形成する透明板を備えた構成において、透明板と画像表示装置との間に電気部品を配置しても、画像表示装置における画像表示面の視認性を低下させることのない遊技機を提供することにある。
【０００６】
【課題を解決するための手段】
上記目的を達成するために、請求項１の発明においては、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線は、絶縁部材の内部に複数の導電性部材を積層配置した構造であることを特徴とする。このように構成することにより、電気部品の接続配線を構成する複数の導電性部材を積層構造とすることで配線自体を目立たなくすることができ、ひいては画像表示装置における画像表示面の視認性を低下させることなく、透明板と画像表示装置との間に電気部品を配置することができる。
【０００７】
また、請求項２の発明においては、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線は、絶縁部材の内部に複数の導電性部材を並列配置した構造であることを特徴とする。このように構成することにより、電気部品の接続配線を構成する複数の導電性部材を並列配置した構造とすることで配線自体を目立たなくすることができ、ひいては画像表示装置における画像表示面の視認性を低下させることなく、透明板と画像表示装置との間に電気部品を配置することができる。
【０００８】
また、請求項３の発明においては、前記絶縁部材は、透明な材質であることを特徴とする。このように構成することにより、複数の導電性部材を被覆する絶縁部材を透明な材質とすることで、より一層配線自体を目立たなくすることができる。
【０００９】
また、請求項４の発明においては、前記画像表示装置を投影式画像表示装置で構成すると共に、前記遊技盤又は該遊技盤の後方に配置される後部透明板に前記投影式画像表示装置が画像を投影する投影面を形成し、前記電気部品の接続配線を前記投影面から離反する方向に延ばし、投影面と投影式画像表示装置との間の空間に配置したことを特徴とする。このように構成することにより、画像表示面を目視した際の視認性の阻害要因を極力減少させることができ、ひいては画像表示面の視認性をより一層高めることができる。
【００１０】
また、請求項５の発明においては、前記電気部品は、遊技球の通過を検出する球検出スイッチであると共に、前記遊技盤の後方に後部透明板を配置し、前記遊技盤に遊技球の入球孔を設けると共に、前記遊技盤と前記後部透明板との間には前記入球孔に入った遊技球を前記球検出スイッチに誘導するための球誘導通路を形成する通路形成リブを設け、前記球検出スイッチの接続配線を前記通路形成リブに沿って配置したことを特徴とする。このように構成することにより、画像表示面を目視した際の視認性の阻害要因を極力減少させることができ、ひいては画像表示面の視認性をより一層高めることができる。
【００１１】
また、請求項６の発明においては、前記球検出スイッチの接続配線は、前記通路形成リブの外側壁面に沿って配置されることを特徴とする。このように構成することにより、視認性の阻害要因をより一層減少させることができる。
【００１２】
また、請求項７の発明においては、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線は、前記遊技盤又は該遊技盤の後方に配置される後部透明板に透明電極によってパターン蒸着されることを特徴とする。このように構成することにより、電気部品の接続配線を透明電極で形成することで配線自体を目立たなくすることができ、ひいては画像表示装置における画像表示面の視認性を低下させることなく、透明板と画像表示装置との間に電気部品を配置することができる。
【００１３】
また、請求項８の発明においては、前記遊技盤と前記画像表示装置との間に配置される電気部品を複数設け、該複数の電気部品におけるそれぞれの接続配線を束ねて単一のコネクタに集約すると共に、当該コネクタを前記遊技領域以外に設けられる電気基板と接続したことを特徴とする。このように構成することにより、複数の接続配線を束ねて単一のコネクタに集約することで、組み付け時及びメンテナンス時における配線接続の接続作業性を向上することができる。
【００１４】
【発明の実施の形態】
以下、図面を参照して、本発明の実施形態について説明する。なお、以下の説明においては、弾球遊技機１の遊技者側を表，表面，前面，前方で表わし、弾球遊技機１を挟んで遊技者と反対側を裏，裏面，後面，後方，背面で示す。先ず、図１乃至図４を参照して実施形態に係る弾球遊技機１の全体の構成について説明する。図１は、本実施形態に係る弾球遊技機１の正面図であり、図２は、弾球遊技機１の背面図であり、図３は、弾球遊技機１の開放状態を示す斜視図であり、図４は、弾球遊技機１の分解斜視図である。
【００１５】
弾球遊技機１は、図１乃至図４に示すように、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられる透明板保持枠４と、枠基体３の前面下部に開閉自在に設けられる上皿開閉枠１１と、から構成されている。なお、枠基体３は、図４に示すように、その一側上下に設けられる軸受け孔３ａが外枠２の一側上下に設けられるヒンジ軸２ａと係合して取り付けられることで、外枠２の一側に開閉自在に設けられる。また、透明板保持枠４は、その一側上下に設けられるヒンジ軸４ａが枠基体３の一側上下に設けられる軸受け孔３ｂと係合して取り付けられることで、枠基体３の一側に開閉自在に設けられる。また、枠基体３に設けられる主要構成部としては、上記した透明板保持枠４、上皿開閉枠１１、遊技盤４０、下皿２７、灰皿２９、操作ハンドル３０、機構板１４０、発射装置１３０がある。
【００１６】
透明板保持枠４には、後述する遊技盤４０の遊技領域４１をほぼ透視し得る円形透視窓５が開設され、該円形透視窓５の裏面から複層ガラス板５ａが装着されるようになっている。この円形透視窓５及び複層ガラス板５ａは、いずれも縦長な円形状に形成されるものである。透明板保持枠４の周縁には、後方に向かって補強周枠リブ４ｂが立設され、透明板保持枠４の強度の向上を図っている。また、透明板保持枠４の前面側には、円形透視窓５の外周に沿って、上部に上部装飾ユニット２２が、左側方に左装飾ユニット２３が、右側方に右装飾ユニット２４が、下部に下部装飾ユニット２５がそれぞれ設けられている。上部装飾ユニット２２の内部に、遊技効果ＬＥＤ１３，１４ａ，１４ｃ及び遊技効果ランプ１４ｂ，１４ｄが臨むように透明板保持枠４の前面側に備えられ、左装飾ユニット２３及び右装飾ユニット２４の内部に、それぞれ遊技効果ランプ１６ａ，１６ｂ及び遊技効果ランプ１７ａ，１７ｂが臨むように透明板保持枠４の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技状態に応じて点灯又は点滅されるものであり、特別の遊技状態の発生時や継続時を遊技者に報知すると共に遊技の雰囲気を盛り上げるものである。
【００１７】
また、上部装飾ユニット２２の左右に、遊技の進行に応じた効果音（音声なども含む）を発生するスピーカ１２ａ，１２ｂが透明板保持枠４に設けられている。なお、スピーカ１２ａ，１２ｂは、遊技球の貸出異常が生じたとき、あるいは遊技球の貸出時（例えば、１００円相当の遊技球が払い出される毎）に、その旨を報知する報知音も発生するようにしてもよい。また、左装飾ユニット２３の上部右側方に、入賞球の発生に基づいて所定個数の賞球が払い出されたことを報知する賞球ＬＥＤ１０（なお、賞球未払出分がある場合に報知するものでもよい。具体的には、賞球未払出があるときは点灯し、賞球未払出がないときは消灯するなど）が透明板保持枠４に設けられ、右装飾ユニット２４の上部左側方に、払い出すべく賞球が不足したことを報知する球切れＬＥＤ９が透明板保持枠４に設けられている。この賞球ＬＥＤ１０及び球切れＬＥＤ９は、弾球遊技機１において行なわれる遊技演出とは別に遊技に関する情報に関連して発光する遊技関連情報発光部材であり、遊技効果ＬＥＤや遊技効果ランプとは別に設けられるものである。また、左装飾ユニット２３及び右装飾ユニット２４のそれぞれ左側及び右側には、装飾するための前面装飾部６が設けられている。更に、下部装飾ユニット２５の両側方には、遊技盤４０に貼付される証紙を視認するための透視窓１８が設けられている。
【００１８】
次に、透明板保持枠４の円形透視窓５の下方に位置する上皿開閉枠１１に形成された上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、スプリング（図示しない）の付勢力に抗して一方向に移動させることにより、上皿１９に貯留されていた球を裏面側に形成される球抜き路（図示しない）を流下させて下皿２７に誘導するものである。
【００１９】
上記した上皿１９について、さらに詳細に説明すると、上皿１９は、その上流側に形成される賞球払出口２０から払い出された賞球を貯留し、且つ発射位置に球を供給するものである。また、上皿１９の右側方には、透明板保持枠４を枠基体３に対して施錠し且つ枠基体３を外枠２に対して施錠する施錠装置１２８を操作するためのシリンダー錠２６が臨んでいる。
【００２０】
また、枠基体３の下部に取り付けられる下皿２７は、前記上皿１９から溢れた賞球であって機構板１４０の裏面下部に形成される余剰球通路（図示しない）及び接続樋３１を介して排出される余剰球を貯留する余剰球貯留皿であり、その下皿２７の下方には、球抜き操作レバー２８がスライド可能に取り付けられるようになっている。この球抜き操作レバー２８を操作することにより、下皿２７に貯留されていた球（賞球）を下方に球抜きして持ち運び可能な球箱に移し替えることができる。また、下皿２７の左側には、灰皿２９が設けられ、右側には、操作ハンドル３０が設けられている。操作ハンドル３０は、図２に示す発射装置１３０のステッピングモータ１３１の駆動を停止させるための単発発射スイッチ（図示しない）及びタッチリング（図示しない）に接続されるタッチ配線（図示しない）が組み付けられていると共に、弾発力を調節するものである。
【００２１】
一方、弾球遊技機１の背面には、図２に示すように、入賞球の発生に基づいて所定個数の賞球を払い出すための各種の機構を装備した機構板１４０が設けられると共に、前記操作ハンドル３０に対応する裏面には、ステッピングモータ１３１及び打球槌（図示しない）を有する発射装置１３０が固着され、その発射装置１３０の側方には、機構板１４０の余剰球通路（図示しない）を流下する賞球を前記下皿２７に誘導する接続樋３１が固着されている。なお、機構板１４０は、その一側上下に設けられる軸受け孔１４１が枠基体３の一側上下に設けられるヒンジ軸３ｅと係合して取り付けられることで、枠基体３の一側に開閉自在に設けられる。また、外枠２に対する枠基体３の開放側裏面には、外枠２の掛止片１２９に対する枠基体３の施錠及び枠基体３に対する透明板保持枠４の施錠を行う施錠装置１２８が設けられている。
【００２２】
また、機構板１４０の上部後面側には、遊技球を貯留する貯留タンク１４７、該貯留タンク１４７に貯留された遊技球を下流側に整列しながら誘導する球整列レール部材１４８及びカーブレール部材１５０、カーブレール部材１５０からの遊技球を誘導する球通路１５６、入賞に基づく賞球を払い出す賞球装置１５４、主制御基板１２０、演出制御基板９０、中継基板９１等が設けられる。なお、主制御基板１２０、演出制御基板９０、及び中継基板９１については後で詳述する。一方、機構板１４０の下部後面側には、電圧の異なる複数の電源を生成する電源基板９７を収容する電源基板ボックス１２２と、賞球装置１５４の動作を制御する賞球基板９８を収容する賞球基板ボックス１２３が設けられる。電源基板９７は、電源コード１１７が接続されてＡＣ２４Ｖの電圧が供給されると共に、各種電圧を生成し、演出制御基板９０、賞球基板９８、画像表示装置１００、及び主制御基板１２０に所定の電源を供給する（図１１参照）。
【００２３】
以上で、弾球遊技機１の全体の概略構成を説明したが、以下、弾球遊技機１を構成する要素のうち、遊技盤４０の詳細な構成について説明する。
【００２４】
遊技盤４０は、図３及び図４に示すように、枠基体３に形成される遊技盤収容枠部３２に開閉自在に収容されるべく、ほぼ正方形状をなすアクリル樹脂等の透明板により形成され、その表面には、図１及び図５に示すように、円形うず巻き状に誘導レール４２が取り付けられ、該誘導レール４２の内側が縦長の円形状に形成された遊技領域４１とされて発射された打球が落下するものである。遊技領域４１には、図示の場合、特別可変表示装置４４、特別可変入賞球装置４８、普通可変入賞球装置５８、普通図柄表示器６３等が設けられると共に、単に打球を入賞とする入賞口、打球の流下方向，速度を変化せしめる風車や多数の障害釘４３（図５（Ｃ）参照）等の障害部材が設けられ、また、遊技領域４１の最下方には、いずれの入賞領域にも入賞しない打球が取り込まれるアウト口４７が設けられている。
【００２５】
遊技領域４１の構成をその遊技動作に従ってより詳細に説明すると、特別可変表示装置４４の下方に普通可変入賞球装置５８が設けられると共に、特別可変表示装置４４の両側方には、それぞれ通過球検出器６２ａ，６２ｂを内蔵する通過口６１ａ，６１ｂが設けられている。この通過球検出器６２ａ，６２ｂは、遊技領域４１を落下する打球の通過を検出すると、その検出信号に基づいて特別可変入賞球装置４８の右側方に設けられる上下一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、上方のＬＥＤ）である場合に、普通可変入賞球装置５８が所定時間開放される。なお、普通図柄表示器６３の可変時間は、非特別遊技状態のときに相対的に長く（例えば、３０秒）、特別遊技状態のときに相対的に短く（例えば、３〜５秒）設定されている。また、特別可変入賞球装置４８の左側方には、普通図柄表示器６３の可変表示中に通過球検出器６２ａ，６２ｂを通過した打球数を記憶表示する普通図柄始動記憶ＬＥＤ６４（最高４個まで記憶表示する）が設けられている。
【００２６】
普通可変入賞球装置５８は、遊技領域４１のほぼ中央に配置される特別可変表示装置４４と遊技領域４１の前記アウト口４７の上部に配置される特別可変入賞球装置４８との間に配置され、ソレノイド５９（図１１に符号のみを記載）によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると特別可変表示装置４４が可変表示を開始する。なお、普通可変入賞球装置５８の開放時間は、非特別遊技状態のときに相対的に短く（例えば、０．５秒）、特別遊技状態のときに相対的に長く（例えば、２秒）設定されている。また、普通可変入賞球装置５８が開放していない場合でも打球を受け入れるようになっている。
【００２７】
特別可変表示装置４４は、左・中・右の特別図柄を個々に可変表示する可変表示部４４ａを有した液晶タイプの画像表示装置１００から構成されている。画像表示装置１００は、遊技領域４１よりは大きく且つ遊技盤４０の大きさよりは若干小さめの画像表示面１０１を有し、透明な遊技盤４０の裏面側に配置される（図３及び図４参照）。これにより、画像表示装置１００は、その表示画像によって特別可変表示装置４４の可変表示部４４ａを構成すると共に、遊技盤４０に形成される遊技領域４１をその裏面側から装飾（透明な遊技盤４０を透して遊技領域４１を画像表示）するようになっている。但し、透明な遊技盤４０の裏面には、透明部材からなる入賞球誘導カバー体８０が一体的に取り付けられ（図５（Ｂ）（Ｃ）参照）、画像表示装置１００の画像表示面１０１は、入賞球誘導カバー体８０を形成する後面壁８１と当接した状態で配置される。即ち、画像表示装置１００は、透明な入賞球誘導カバー体８０を介して可変表示部４４ａを含む遊技領域４１の画像を透明な遊技盤４０の表面に映し出し、然もその表示画像が複層ガラス板５ａを透して遊技者に視認可能な構成となっている。なお、実施形態中では、遊技盤の全体を透明板で構成しているが、これに限らず、遊技盤のほぼ全体を透明板で構成するようにしてもよい。遊技盤のほぼ全体とは、少なくとも画像表示装置の画像表示面を含んだ領域であればよい。
【００２８】
上記した可変表示部４４ａの外周には、可変表示部４４ａの外周部分を装飾する透明な装飾部材６６が設けられている。この装飾部材６６は、可変表示部４４ａの外周に沿った額縁形状をなすと共に、遊技盤４０（遊技領域４１）の前方に突出して設けられている。また、装飾部材６６の中央上端部には、遊技領域４１を流下する遊技球を受け入れるワープ入口６７が形成され、装飾部材６６の上辺及び左右の両側辺にかけて、左右のワープ通路６８が形成されている。ワープ通路６８は、遊技盤４０の表面に対して垂直に且つ相互間で遊技球の直径よりも若干大きな間隔を置いて平行状に立設された透明な２列の壁部材６９によって構成され、ワープ入口６７から受け入れた遊技球を可変表示部４４ａの周囲で（外周に沿って）誘導する。また、装飾部材６６の下辺には、ワープ通路６８を通って誘導された遊技球を受ける球転動部７０が形成されている。なお、このような可変表示部４４ａの周囲で遊技球を誘導するワープ通路６８を設けることで、可変表示部４４ａの前面を遊技球が流下するのを回避することができ、ひいては可変表示部４４ａの視認性の阻害要因を抑制することができる。
【００２９】
球転動部７０は、左右のワープ通路６８からの遊技球を中央側に転動するように左右両端部から中央に向けて下り傾斜した形状をなし、その中央部分、言い換えれば普通可変入賞球装置５８の真上部分には、図５（Ａ）（Ｄ）に示すように、第１球排出口７１が穿設され、該第１球排出口７１の左右両側には、第２球排出口７２が穿設されている。第２球排出口７２は、遊技球の直径よりも若干大きめの円形状をなし、第１球排出口７１は、第２球排出口７２、即ち遊技球の直径よりも大き目の円形状をなしている。そして、左右のワープ通路６８から球転動部７０に送り込まれた遊技球は、中央側に誘導される際、第２球排出口７２に入って普通可変入賞球装置５８の真上部分から若干ズレた位置で再度遊技領域４１に排出されるか、あるいは第２球排出口７２を通り過ぎて第１球排出口７１に入り、普通可変入賞球装置５８の真上部分で再度遊技領域４１に排出されるようになっている。これにより、球転動部７０上の遊技球が中央の第１球排出口７１まで到達して第１球排出口７１に入った場合は、高い確率で遊技球が普通可変入賞球装置５８に入賞するようになっており、これに対して、遊技球が中央の第１球排出口７１まで到達せずに第２球排出口７２に入った場合は、普通可変入賞球装置５８に遊技球が入賞する確率が低くなっている。このような構成とすることで、球転動部７０上での遊技球の転動状況に対して遊技者の関心を持たせることができ、ひいては遊技の興趣を盛り上げるようになっている。また、第１及び第２の球排出口７１，７２毎で普通可変入賞球装置５８への遊技球の誘導確率が異なるので、球転動部７０上での遊技球の転動状況に対する遊技者の興趣をより一層向上するようになっている。
【００３０】
なお、ワープ通路の構成としては、上記したものに限定しない。例えば、ワープ通路を遊技盤の裏面側に設け、遊技球を遊技盤の裏側から表側に再放出するようにしてもよい。また、ワープ通路内に普通図柄の始動ゲートを設けたり、ワープ通路内に予告の画像表示を行うようにしてもよい。また、球転動部となるステージ上には、ゴム等の弾性部材、ウレタン系等の衝撃吸収材、あるいはステンレス板等の補強部材からなる衝撃吸収部材を設け、遊技球のステージ上への落下衝撃力を緩衝するようにしてもよい。また、ワープ通路以外の経路からステージ上に遊技球が飛び込み可能な構成としてもよい。さらには、ステージから始動入賞口へ導かれる始動入賞率が異なるような複数種類のワープ通路を設けるようにしてもよい。
【００３１】
そして、特別可変表示装置４４の変動停止時における図柄の組合せが予め定めた大当り図柄の組合せ（例えば、同一の図柄が当りラインのいずれかに揃った場合）である特定表示結果となった場合に、特定遊技状態となって特別可変入賞球装置４８を次に説明する所定の態様で開閉駆動するものである。但し、特定表示結果の一部は、特別表示結果として設定され、この特別表示結果で特定遊技状態となったときには、その特定遊技状態終了後における前記普通図柄表示器６３における当り（当りＬＥＤの点灯）の出現確率や特別可変表示装置４４における大当り図柄の出現確率が高くなる遊技者に有利な特別遊技状態となるように設定されている。これに対し、特別表示結果以外の特定表示結果は、特別遊技状態よりも遊技者に不利な非特別遊技状態となる非特別表示結果として設定されている。また、特別可変表示装置４４の可変表示部４４ａには、特別可変表示装置４４（特別図柄）の可変動作中に前記始動球検出器６０によって検出された球数を記憶表示する図示しない特別図柄始動記憶部（最高４個まで記憶表示する）が表示されるようになっている。
【００３２】
特定遊技状態となったときに駆動制御される特別可変入賞球装置４８は、ソレノイド６５（図１１に符号のみを記載）によって開閉駆動される開閉板４９を有し、その開閉板４９に受け入れられた打球を検出する入賞個数検出器５２（図６参照）が設けられている。また、特別可変入賞球装置４８内（開閉板４９の内側）には、打球の検出（Ｖ入賞検出）に伴って特定遊技状態の継続権を成立させる特定球検出器５１（図６参照）が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッターは、ソレノイド５０（図１１に符号のみを記載）によって開閉駆動が行われる。しかして、特定遊技状態となった場合には、一定時間（例えば、２８秒）が経過するまで又はその一定時間内に所定個数（例えば、１０個）の入賞球が入賞するまで開閉板４９を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に最高１５回の開放サイクルを繰り返すことができるようになっている。
【００３３】
また、特別可変入賞球装置４８の左右両側には、それぞれ入賞球検出器５６ａ，５６ｂを内蔵する通常入賞口５４ａ，５４ｂが設けられている。また、通過ゲート６１ａ，６１ｂの左右両側方に位置する遊技領域４１の末端部、言い換えれば誘導レール４２の隣接位置（近設位置であってもよい）には、それぞれ入賞球検出器５７ａ，５７ｂを内蔵する通常入賞口５５ａ，５５ｂが設けられ、該通常入賞口５５ａ，５５ｂの下方には、通常入賞口５５ａ，５５ｂに入った遊技球を個々に誘導する球誘導通路４５ａ，４５ｂが遊技領域４１の下側部分を区画形成する円弧形状に設けられている。更に、特別可変表示装置４４の右側方には、特別可変表示装置４４の右側方に打ち込まれた遊技球を遊技領域４１の中央側に向けて誘導する球誘導通路４６が設けられている。なお、球誘導通路４５ａ，４５ｂを構成する通路外壁面は、それぞれ遊技領域４１下側部分の誘導レールとして機能するようになっており、その分、誘導レールが不要となり部品点数の削減を招来するようになっている。また、このような球誘導通路４５ａ，４５ｂは、遊技領域４１の画像表示において、遊技者が目視するのに影響の少ない部位（誘導レール部分）に設けられているので、画像表示面１０１の視認性を向上することができる。
【００３４】
一方、遊技盤４０の裏面には、図５（Ｂ）（Ｃ）に示すように、前述した透明な入賞球誘導カバー体８０が一体的に取り付けられる。入賞球誘導カバー体８０は、その後面壁８１と遊技盤４０裏面との間が遊技球の直径よりも僅かに大きい間隔を持って平行状に組み付けられ、後面壁８１と遊技盤４０裏面との間の空間により遊技領域４１内に設けられる各種入賞口に入った遊技球を遊技盤４０の裏面側で誘導するようになっている。入賞球誘導カバー体８０の四隅部分、言い換えれば画像表示装置１００における画像表示面１０１の透視範囲（遊技領域４１）以外となる部位には、図６（Ａ）（Ｂ）に示すように、取付フランジ部８２が形成され、該取付フランジ部８２には、入賞球誘導カバー体８０を遊技盤４０の裏面に着脱自在に取り付けるプッシュ・プル式の丸形ツメ８３が設けられている。入賞球誘導カバー体８０の後面壁８１には、遊技領域４１の各種入賞口と対応して設けられる球検出スイッチ（例えば、特定球検出器５１、入賞個数検出器５２、入賞球検出器５６ａ，５６ｂ、始動球検出器６０等）を取り付けるための取付開口８４と、各球検出スイッチの接続配線１６０を入賞球誘導カバー体８０の裏面側に挿通するための配線開口８５とが穿設されている。遊技盤４０裏面との対向面となる後面壁８１の前面には、各種入賞口に入った遊技球を遊技盤４０の裏面側で誘導するための球誘導通路８６を形成する左右２列の通路形成リブ８７が立設されている。
【００３５】
入賞球誘導カバー体８０の下辺部分には、入賞球誘導カバー体８０で誘導した遊技球（具体的には、球誘導通路８６を通った遊技球（入賞球）及びアウト口４７に入った遊技球（アウト球））を排出する球排出口８８が形成されており、入賞球誘導カバー体８０の下辺における後面壁８１と取付フランジ部８２との境界部分は、入賞球誘導カバー体８０で誘導した遊技球を球排出口８８に誘導するための球通路８９として形成されている。また、球通路８９の上面には、遊技球の落下衝撃力を緩衝するための衝撃吸収部材８９ａ（例えば、ゴム等）が設けられており、球誘導通路８６の高い位置から遊技球が落下するような場合でも、その衝撃力を緩衝することができ、ひいては衝突音の減少と共に球誘導通路８６の耐久性を向上することができる。このような構成は、図６に示す入賞球誘導カバー体８０に限らず、後述する図８及び図２１に示す入賞球誘導カバー体８０においても同様に、衝撃吸収部材８９ａが球通路８９の上面に設けられるものである。
【００３６】
なお、遊技球の落下衝撃力を緩衝するための部材は、ゴム等の衝撃吸収部材に限らず、ステンレス板のような補強部材であってもよい。また、実施形態中では、後面壁８１の前面に左右２列の通路形成リブ８７を立設することで、各種入賞口に対応して球誘導通路８６を形成しているが、この構成に限定しない。例えば、図６（Ｃ）に示すように、左右２列の通路形成リブを設けることなく、球誘導通路８６を形成する後面壁８１及び遊技盤４０裏面の対向面を平面状にして、後面壁８１と遊技盤４０裏面との間の空間を全体的に球誘導通路として構成するようにしてもよい。このように構成した場合、入賞口に入った遊技球をリブ等の障害にあてることなく球誘導通路内を自然落下させることができるので、遊技球の落下速度を高めることができる。このため、画像表示面の前方を通過する遊技球を目視しずらくでき、リブ等の障害がないことに加えて、画像表示面の視認性をより一層向上することができる。また、このような効果は、前述した後面壁８１と遊技盤４０裏面との間を遊技球の直径よりも僅かに大きい間隔を持って平行状に組み付ける構成からも奏し得るものである。
【００３７】
また、球誘導通路８６を形成する透明な入賞球誘導カバー体８０の内壁面及び透明な遊技盤４０には、接触する遊技球の汚れが極力、入賞球誘導カバー体８０及び遊技盤４０に付着しないように汚れ防止皮膜が施されるものである。このような汚れ防止皮膜を入賞球誘導カバー体及び遊技盤に施す構成は、後述する各変形例においても同様に行われるものである。また、球誘導通路８６にランプ・ＬＥＤ等の光装飾部材を設けることで、入賞した遊技球の通過を光装飾するようにしてもよい。
【００３８】
次に、遊技領域４１の各種入賞口と対応して設けられる球検出スイッチ（例えば、特定球検出器５１、入賞個数検出器５２、入賞球検出器５６ａ，５６ｂ、始動球検出器６０等であり、以下これらを球検出スイッチ１６１と総称する）について説明する。球検出スイッチ１６１は、図７（Ａ）に示すように、球通過穴１６１ａでの遊技球の通過を検出するタイプのスイッチであり、その一端部分には、先端にコネクタ１６２を備えた前述の接続配線１６０が取り付けられている。接続配線１６０は、図７（Ａ）のＡ線断面図となる図７（Ｂ）に示すように、透明な絶縁部材１６０ａの内部に導電線となる複数の導電性部材１６０ｂ（断面が平面状なフレキシブル配線）を積層配置した構造（同図中には、２層構造を例示）で構成されている。即ち、本実施形態の接続配線１６０を構成する導電性部材１６０ｂは、積層構造を採るために断面形状が細長い方形状に形成されている。ここで、従来の配線構造について説明すると、従来では、断面が円形状をなす複数の導電線（導電性部材）を相互にスパイラル状にねじり束ね、その外周を全体的に非透明な絶縁部材で被覆していた。これに対して、接続配線１６０は、導電性部材１６０ｂの積層構造を採ることで配線自体の厚みが従来のものに比べて極めて薄くなっている。
【００３９】
そして、上記した積層構造をなす接続配線１６０は、図６（Ａ）に示すように、球誘導通路８６を形成する通路形成リブ８７の外側壁面に沿って配置され（具体的には、通路形成リブ８７の外側壁面に接続配線１６０が貼り付けによって固定され）、配線開口８５を通して入賞球誘導カバー体８０の裏面側に引き出される。これにより、透明な遊技盤４０及び入賞球誘導カバー体８０を介して画像表示装置１００の画像表示面１０１を目視した際の視認性の阻害要因が極力減少される。また、複数の球検出スイッチ１６１（例えば、特定球検出器５１、入賞個数検出器５２、入賞球検出器５６ａ，５６ｂ、始動球検出器６０等）におけるそれぞれの接続配線１６０は、入賞球誘導カバー体８０の裏面側に引き出された部分が束ねられて単一のコネクタ１６２に集約されており、該単一のコネクタ１６２は、遊技領域４１以外に設けられる後述の電源基板９７と接続される。これにより、組み付け時及びメンテナンス時における配線接続１６０の接続作業性が向上する。なお、接続配線１６０の固定方法は、貼り付けに限定せず、２枚の透明板の間に挟み込んで固定するようにしてもよい。
【００４０】
ところで、実施形態中では、画像表示面１０１を目視した際の視認性の阻害要因を極力減少させるために、球検出スイッチの接続配線を積層構造としているが、これに限らず、図７（Ｃ）（Ｄ）に示すような接続配線１６０’の構造としてもよい。接続配線１６０’は、図７（Ｃ）のＢ線断面図となる図７（Ｄ）に示すように、透明な絶縁部材１６０’ａの内部に導電線となる複数の導電性部材１６０’ｂを並列配置した構造（同図中には、２列構造を例示）で構成されている。これにより、接続配線１６０’は、導電性部材１６０’ｂの並列構造を採ることで配線自体の厚みが従来のものに比べて極めて薄くなり、視認性の阻害要因を極力減少させる。なお、導電性部材（導電線）１６０’ｂの断面形状は円形状であり、その半径は０．２ｍｍ以下である。但し、このような並列構造において、導電性部材は、その断面が円形状のものに限定せず、例えば、断面を平面状としたフレキシブル配線であってもよい。
【００４１】
また、図８に示す変形例における球検出スイッチの接続構造とすることで、画像表示面１０１を目視した際の視認性の阻害要因を極力減少させるようにしてもよい。変形例の構成では、図８（Ｃ）に示すように、球検出スイッチ（同図中には、始動球検出器６０を記載）の接続配線をプラス配線１６３ａとマイナス配線１６３ｂから構成し、また、入賞球誘導カバー体８０の後面壁を図８（Ａ）に示すように後面壁８１ａ〜８１ｇに分割形成する。そして、後面壁８１ａ〜８１ｇのうち後面壁８１ｂ〜８１ｇには、導電性を有する透明部材からなる透明電極がパターン蒸着されている。言い換えれば、後面壁８１ｂ〜８１ｇが透明電極として形成されている。但し、各後面壁８１ａ〜８１ｇを一体的に組み付ける際には、相互間で電気が導通しないような処理を施すものである。そして、各球検出スイッチ（図８（Ａ）中には、特定球検出器５１、入賞個数検出器５２、入賞球検出器５６ａ，５６ｂ、始動球検出器６０を例示）のプラス配線１６３ａは、それぞれ接続ポイント１６４で後面壁８１ｇに接続される。一方、入賞球検出器５６ｂのマイナス配線１６３ｂは接続ポイント１６４で後面壁８１ｂに接続され、特定球検出器５１のマイナス配線１６３ｂは接続ポイント１６４で後面壁８１ｃに接続され、始動球検出器６０のマイナス配線１６３ｂは接続ポイント１６４で後面壁８１ｄに接続され、入賞個数検出器５２のマイナス配線１６３ｂは接続ポイント１６４で後面壁８１ｅに接続され、入賞球検出器５６ｂのマイナス配線１６３ｂは接続ポイント１６４で後面壁８１ｆに接続される。また、各球検出スイッチのプラス配線１６３ａ又はマイナス配線１６３ｂが接続ポイント１６４で接続された後面壁８１ｂ〜８１ｇの各端部には、単一のコネクタ１６２’に設けられた複数の接続端子１６２’ａが個々に接続ポイント１６４で接続される。
【００４２】
なお、画像表示面を目視した際の視認性の阻害要因を極力減少させるための上記した接続配線の構成は、球検出スイッチに限定するものではない。即ち、透明な遊技盤に設けられる電気部品（例えば、球検出スイッチ、ソレノイドやモータ等の電気的駆動源、ランプ・ＬＥＤ等の発光部材等）における接続配線であれば、いずれの接続配線であってもよい。
【００４３】
以上、透明な遊技盤４０及び該遊技盤４０の裏面に着脱自在に取り付けられる透明な入賞球誘導カバー体８０の構成について説明したが、次に、遊技盤４０の取り付け構造について説明する。入賞球誘導カバー体８０を一体的に取り付けた遊技盤４０は、図４に示すように、透明板保持枠４と枠基体３との間に配置され、前述した枠基体３の遊技盤収容枠部３２に開閉自在に取り付けられる。具体的には、図５（Ａ）及び図６（Ａ）（Ｂ）に示すように、遊技領域４１以外となる遊技盤４０の一側上下にヒンジ軸１７０，１７１が設けられ、該ヒンジ軸１７０，１７１が枠基体３の一側上下に設けられる軸受け孔３ｃと係合して取り付けられることで、遊技盤４０が枠基体３に対して開閉自在に設けられる。ヒンジ軸１７１は、遊技盤４０の一側下端部に固定されている。一方、遊技盤４０の一側上端部に設けられるヒンジ軸１７０は、垂直方向に延びる軸部１７０ａと、該軸部１７０ａの下端から水平方向に延びるスプリング係合部１７０ｂと、を備えたＬ字形状をなしている。また、ヒンジ軸１７０は、軸部１７０ａが遊技盤４０に固定された取付円筒部材１７２に挿通され、この状態でヒンジ軸１７０を上方向に付勢するスプリング１７３がスプリング係合部１７０ｂに取り付けられることで、常時上方向に付勢された状態で上下方向に進退可能に取り付けられている。但し、ヒンジ軸１７０の上方向への移動は、スプリング係合部１７０ｂが取付円筒部材１７２の下端部分と当接する位置で規制されている。このような構成は、図５及び図６に示す遊技盤４０に限らず、後述する図２０に示す遊技盤４０においても同様に、ヒンジ軸１７０，１７１が枠基体３の一側上下に設けられる軸受け孔３ｃと係合して取り付けられることで枠基体３に対して開閉自在に設けられるものである。
【００４４】
そして、遊技盤４０を枠基体３に取り付ける際には、遊技盤４０の一側下端部のヒンジ軸１７１を枠基体３の一側下部の軸受け孔３ｃに挿通し、この状態で、遊技盤４０の一側上端部のヒンジ軸１７０をスプリング１７３の付勢力に抗して下方に押し込みながら枠基体３の一側上部の軸受け孔３ｃの真下に持っていく。そこで、ヒンジ軸１７０の押し込みを解除することにより、ヒンジ軸１７０は、スプリング１７３の付勢力によって上方向に移動し、枠基体３の一側上部の軸受け孔３ｃに挿通する。これにより、遊技盤４０は、一側上下のヒンジ軸１７０，１７１を回動軸として枠基体３の遊技盤収容枠部３２に対して開閉自在に取り付けられる。なお、枠基体３から遊技盤４０を取り外す場合は、上記した作業とは逆に、枠基体３の一側上部の軸受け孔３ｃに挿通されたヒンジ軸１７０をスプリング１７３の付勢力に抗して下方向に押し込むことで、軸受け孔３ｃに対するヒンジ軸１７０の挿通状態を解除して遊技盤４０を枠基体３から取り外す。また、遊技盤４０は、遊技盤収容枠部３２の前方に開放するようになっており、遊技盤４０の取り付け及び取り外しは、枠基体３の前方側から行われる。このため、遊技盤４０の取り付け及び取り外しにおける作業性を向上することができ（具体的には、大型化した画像表示装置が枠基体の後方に突出して配置されるので、枠基体の後方に比べて前方の方が作業スペースを確保し易い）、ひいては球誘導通路８６（遊技盤４０裏面及び入賞球誘導カバー体８０の後面壁８１）のメンテナンス作業が容易になる。また、遊技領域４１以外となる遊技盤４０の他側上下には、枠基体３に対して閉鎖状態にある遊技盤４０を固定するための丸形ツメ１７４が設けられている。丸形ツメ１７４は、入賞球誘導カバー体８０に設けられた前記丸形ツメ８３と同様にプッシュ・プル式であり、枠基体３に穿設される係止穴（図示しない）との係合によって遊技盤４０を遊技盤収容枠部３２内に収容固定するようになっている。即ち、画像表示装置１００の前方を覆う部材（遊技盤４０）は、遊技領域４１を構成する透明板の範囲外（画像表示面１０１の視認範囲外）でヒンジ軸１７０，１７１及び丸形ツメ１７４からなる固定部材により前面枠（枠基体３）に取り付けられている。
【００４５】
次に、入賞球誘導カバー体８０を一体的に取り付けた遊技盤４０の裏面側に配置される画像表示装置１００の取り付け構造について説明する。画像表示装置１００は、図９に示すように、正方形の薄板形状をなし、その一端面が液晶タイプの画像表示面１０１となっている。画像表示装置１００の一側辺には、細長板形状をなす取付フランジ部材１０２が一体的に固定されている。取付フランジ部材１０２の上下両端部は、画像表示装置１００の外方に向って突出するように折曲されたフランジ片１０３として形成され、該フランジ片１０３には、軸受け孔１０４が穿設されている。この軸受け孔１０４は、枠基体３の遊技盤収容枠部３２の一側上下に設けられるヒンジ軸３ｄ（図４参照）との係合により、画像表示装置１００を枠基体３の遊技盤収容枠部３２に開閉自在に取り付けるものである。即ち、枠基体３のヒンジ軸３ｄと画像表示装置１００の軸受け孔１０４とによって開閉ヒンジ機構を構成するようになっている。なお、このような開閉ヒンジ機構としては、枠基体側に軸受け孔を設ける一方、画像表示装置側に枠基体側の軸受け孔と係合するヒンジ軸を設けた構成としてもよい。また、画像表示装置１００は、図１２に示すように、遊技盤収容枠部３２の後方に開放するようになっており、画像表示装置１００の取り付け及び取り外しは、枠基体３の後方側から行われる。また、画像表示装置１００の他側辺上下には、ツメ取付片１０５が突設され、該ツメ取付片１０５には、枠基体３に対して閉鎖状態にある画像表示装置１００を固定するための丸形ツメ１０６が設けられている。丸形ツメ１０６は、前記丸形ツメ８３と同様にプッシュ・プル式であり、枠基体３に穿設される係止穴３４（図４参照）との係合によって画像表示装置１００を遊技盤収容枠部３２内に収容固定するようになっている。
【００４６】
以上のように、透明な遊技盤４０と該遊技盤４０の裏面側に配置される画像表示装置１００とは、個々に枠基体３に対して開閉自在に取り付けられるようになっている。このため、大型化した画像表示装置を一体的に取り付けた遊技盤を枠基体に取り付ける構成に比べて、遊技盤を軽量化して枠体に取り付けることができるので、遊技盤の交換作業が容易に行え、然も大型化した画像表示装置を一体的に取り付けるための補強が不要となる。
【００４７】
次に、機構板１４０の後面側に取り付けられる主制御基板１２０、演出制御基板９０、及び中継基板９１について説明する。主制御基板１２０は、遊技盤４０に設けられる特別可変入賞球装置４８等の遊技装置の動作を制御するものである。演出制御基板９０は、主制御基板１２０から送信される演出制御コマンド信号に基づいて、特別図柄を可変表示する特別可変表示装置４４の画像表示を含む画像表示装置１００の画像表示制御や、遊技盤４０に設けられる各種ランプ・ＬＥＤの発光表示制御、スピーカ１２ａ，１２ｂからの効果音出力制御を実行するものである。中継基板９１は、主制御基板１２０及び演出制御基板９０と、遊技盤４０に設けられる各種電気部品等との間での信号のやり取りを電源基板９７を介して中継するためのものである。そして、主制御基板１２０、演出制御基板９０、及び中継基板９１は、図４及び図１０に示すように、それぞれ透過性部材からなる単一の基板ベース１２６に取り付けられる。但し、不正改造が行われる可能性がある主制御基板１２０及び演出制御基板９０は、その不正行為を防止するために不正防止用（開放されたことが確認可能なカシメ構造）の各基板ボックス１２１，１２４内に収容された状態で基板ベース１２６に取り付けられる。然も、基板ボックス１２１，１２４及び中継基板９１は、相互間で重ならないように基板ベース１２６に取り付けられ、これによって不正確認が容易となり、防犯対策の効果を奏し得るようになっている。
【００４８】
また、基板ベース１２６に取り付けられる主制御基板１２０を収容した基板ボックス１２１、演出制御基板９０を収容した基板ボックス１２４、及び中継基板９１は、それぞれ単一の基板カバー１２５によって一体的に被覆されるようになっている。基板カバー１２５は、前面側が開口した筐体形状をなし、その開口側となる前面側の外周部分には、基板ベース１２６に穿設された係止穴１２６ａ（図４参照）との係合によって基板カバー１２５を基板ベース１２６に着脱自在に取り付ける係合爪１２５ａ（図４参照）が突設されている。また、基板カバー１２５には、被覆した各基板１２０，９０，９１から発生する熱を外部に放出するための放熱穴１２５ｂが複数穿設されている。また、基板カバー１２５は、被覆する基板ボックス１２１，１２４及び中継基板９１が外部から視認可能（不正発見が可能）なように透過性部材から形成されている。
【００４９】
そして、主制御基板１２０を収容した基板ボックス１２１、演出制御基板９０を収容した基板ボックス１２４、及び中継基板９１を一体的に取り付け、然もその裏面側が基板カバー１２５によって全体的に被覆された基板ベース１２６は、該基板ベース１２６の上下両辺部分に突設された取付フランジ部１２６ｂの丸形ツメ１２７を介して機構板１４０の後面側に取り付けられる。なお、丸形ツメ１２７は、前記丸形ツメ８３と同様にプッシュ・プル式であり、機構板１４０の後面に穿設される取付孔１４２（図４参照）に対する係合及びその解除により基板ベース１２６を着脱自在に取り付けるようになっている。このように本実施形態の弾球遊技機１では、遊技内容を制御する制御手段（主制御基板１２０、演出制御基板９０）を１つにユニット化することで、機種変更に伴い制御手段（制御基板）のみを交換するような場合、その交換時の取り付け作業性を向上することができる。また、この構成によれば、遊技盤４０と画像表示装置１００と制御手段とをそれぞれ別々に取り付ける構成とすることで、遊技盤４０、画像表示装置１００、制御手段の取り付け及び取り外しの作業効率を向上するようになっている。
【００５０】
なお、基板ベース１２６に対する基板カバー１２５の取り付け構造として、前述した基板ボックス１２１，１２４に採用された不正防止用のカシメ構造を採用してもよい。こうすることで、主制御基板１２０及び演出制御基板９０の不正対策として２重の不正防止構造とすることができる。また、画像表示制御、発光表示制御、及び効果音出力制御を実行する演出制御基板９０は、１枚板に集約されたものであるが、これに限らず、制御機能別に分割基板化したものであってもよい。
【００５１】
次に、弾球遊技機１の回路構成について、図１１を参照して説明する。主制御基板１２０には、遊技盤４０に設けられる各スイッチ５１，５２，５６ａ，５６ｂ，５７ａ，５７ｂ，６０，６２ａ，６２ｂからの信号が電源基板９７及び中継基板９１を介して入力される。なお、打球が入賞する全ての入賞口及び入賞装置には、入賞球を検出する入賞球検出手段として上記した各スイッチ５２，５６ａ，５６ｂ，５７ａ，５７ｂ，６０が設けられているが、これは、これらの検出信号に基づいて所定個数の賞球を払い出すために使用されるものであり、入賞球を検出するが、賞球を払い出さない各スイッチ５１，６２ａ，６２ｂも設けられている。しかして、各スイッチ５２，５６ａ，５６ｂ，５７ａ，５７ｂ，６０は、電源基板９７及び中継基板９１を介して主制御基板１２０に接続され、主制御基板１２０では、これらのスイッチからの検出信号により未払出数として対応した個数を加算すると共に、電源基板９７及び中継基板９１を介して順次賞球基板９８に賞球個数信号（賞球制御データ・信号）を導出する。そして、賞球基板９８は、その賞球個数信号に基づいて所定個数の賞球を払い出すように賞球装置１５４を駆動制御する。また、賞球基板９８は、満タンスイッチ（図示しない）による賞球の満杯状態の検出に基づいて主制御基板１２０から満タン信号を入力すると、賞球装置１５４の駆動を停止制御して賞球の払い出しを停止すると共に、発射装置１３０（ステッピングモータ１３１）の駆動を停止制御して打球の発射を停止する。
【００５２】
遊技盤４０には、上記したようにスイッチやソレノイド、あるいは装飾ランプや装飾ＬＥＤ等が多数設けられるが、このうち遊技盤４０に設けられるスイッチ（ＳＷ）及びセンサー等の各検出手段は、前述したように電源基板９７及び中継基板９１を介して主制御基板１２０に接続され、各検出手段の検出信号は、主制御基板１２０に入力される。また、遊技盤４０に設けられるソレノイド・モータ等の電気的駆動源は、電源基板９７及び中継基板９１を介して主制御基板１２０に接続され、主制御基板１２０から出力される駆動制御信号（ソレノイド・モータデータ）が電気的駆動源（ソレノイド・モータ）に出力されることで、電気的駆動源の駆動が制御される。
【００５３】
また、遊技盤４０に設けられるランプ・ＬＥＤ等の発光部材及び効果音を発生するスピーカ１２ａ，１２ｂと遊技領域４１を画像表示する画像表示装置１００は、それぞれ電源基板９７及び中継基板９１を介して演出制御基板９０に接続され、演出制御基板９０は、主制御基板１２０に接続されている。そして、演出制御基板９０は、主制御基板１２０から入力される信号（演出制御コマンド）に応じて、ランプ・ＬＥＤデータを遊技盤４０に設けられる発光部材に出力して発光部材を表示制御し、また、画像データを画像表示装置１００に出力して画像表示装置１００を表示制御し、また、効果音出力信号をスピーカ１２ａ，１２ｂに出力してスピーカ１２ａ，１２ｂからの音発生を制御する。
【００５４】
また、主制御基板１２０は、中継基板９１及び電源基板９７を介して外部の管理コンピュータに弾球遊技機１の営業管理上必要な遊技情報（例えば、大当り遊技状態中である旨を報知する大当り１情報、確率変動図柄で大当り遊技状態となり、その大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別可変表示装置の可変動作回数を報知する図柄確定回数１情報、普通可変表示装置の可変動作回数を報知する図柄確定回数２情報、及び普通可変入賞球装置の開閉回数を報知する役物回数２情報等）を出力する。
【００５５】
ところで、本実施形態では、枠（透明板保持枠４、枠基体３、及び機構板１４０）側と遊技盤４０側に設けられる各種電気部品の接続配線を中継する中継基板９１を設け、該中継基板９１と枠側（具体的には、電源基板９７）との接続配線を１つのコネクタに集約して設けている。これにより、接続配線に対する不正の確認が容易に行え、防犯対策の効果を奏し得るようになっている。なお、このような接続配線を１つのコネクタに集約した構成は、中継基板９１と電源基板９７との間だけではなく、遊技盤４０に設けられる各種電気部品と電源基板９７との間、賞球基板９８と電源基板９７との間の各接続配線を１つのコネクタに集約して設けることで、配線の接続作業性を向上するようになっている。また、実施形態中では、主制御基板からのコマンドに基づいて演出制御基板が、画像表示、電飾、及び効果音の制御を行う構成としているが、これに限定するものではない。例えば、演出制御基板は、画像表示制御のみを行うものとして、別途、効果音・電飾制御基板を設け、演出制御基板を介して主制御基板からコマンドを受信した効果音・電飾制御基板が、効果音及び電飾の制御を行うようにしてもよい。また、効果音制御基板と電飾制御基板とを個々に設け、演出制御基板を介して主制御基板からコマンドを受信した効果音制御基板が効果音の制御を行い、演出制御基板及び効果音制御基板を介して主制御基板からコマンドを受信した電飾制御基板が電飾の制御を行うようにしてもよい。
【００５６】
なお、上記した実施形態では、画像表示装置１００を枠基体３に取り付ける構成としているが、これに限定するものではない。例えば、図１３の変形例に示すように、画像表示装置１００を機構板１４０に取り付ける構成としてもよい。具体的には、画像表示装置１００における上下一対のフランジ片１０３の軸受け孔１０４を、機構板１４０の一側に設けられた上下一対のフランジ片１７５のヒンジ軸１７５ａと係合して取り付けることで、画像表示装置１００が機構板１４０の前面側に開閉自在に取り付けられる。また、画像表示装置１００のツメ取付片１０５に設けられる丸形ツメ１０６は、前記実施形態とは反対に係合部分が弾球遊技機１の後方側に向くように取り付けられ、この丸形ツメ１０６を機構板１４０の他側に設けられた上下一対のフランジ片１７６の軸受け孔１７６ａに係止することで、機構板１４０に対する画像表示装置１００の閉鎖状態が保持される。
【００５７】
また、図１４の変形例に示すように、画像表示装置１００を外枠２に取り付ける構成としてもよい。具体的には、画像表示装置１００における上下一対のフランジ片１０３の軸受け孔１０４を、外枠２の一側に設けられた上下一対のフランジ片１７７のヒンジ軸１７７ａと係合して取り付けることで、画像表示装置１００が機構板１４０を挟んだ状態で外枠２に開閉自在に取り付けられる。また、画像表示装置１００のツメ取付片１０５に設けられる丸形ツメ１０６は、図１３の変形例と同様に係合部分が弾球遊技機１の後方側に向くように取り付けられ、この丸形ツメ１０６を外枠２の他側に設けられた上下一対のフランジ片１７８の軸受け孔１７８ａに係止することで、外枠２に対する画像表示装置１００の閉鎖状態が保持される。
【００５８】
また、上記した実施形態では、単一の板部材によって遊技盤を構成すると共に、画像表示装置によって遊技領域の全域を画像表示する構成としているが、これに限定するものではない。例えば、図１５の変形例に示すように、遊技盤を上部遊技盤４０ａと下部遊技盤４０ｂとの２分割で構成するようにしてもよい。具体的には、図１５乃至図１８に示すように、電気部品（普通可変入賞球装置５８や特別可変入賞球装置４８等の球検出スイッチ、ソレノイドやモータ等の電気的駆動源、ランプ・ＬＥＤ等の発光部材）が設けられない遊技領域の上側領域４１ａを上部遊技盤４０ａで形成し、電気部品（普通可変入賞球装置５８や特別可変入賞球装置４８等の球検出スイッチ、ソレノイドやモータ等の電気的駆動源、ランプ・ＬＥＤ等の発光部材）が設けられる遊技領域の下側領域４１ｂを下部遊技盤４０ｂで形成する。上部遊技盤４０ａは、前記遊技盤４０と同様にアクリル樹脂等の透明板により形成され、その表面には、遊技領域全体における上側領域４１ａを区画形成する誘導レール１８０が植立されている。一方、下部遊技盤４０ｂは、ベニヤ等の不透明な板部材により形成され、その表面には、遊技領域全体における下側領域４１ｂを区画形成する誘導レール１８１が植立されている。上側領域４１ａを区画形成する誘導レール１８０は、内レール１８０ａと外レール１８０ｂから構成され、下側領域４１ｂを区画形成する誘導レール１８１は、内レール１８１ａと外レール１８１ｂから構成されている。
【００５９】
そして、上部遊技盤４０ａと下部遊技盤４０ｂとを弾球遊技機１として組み付けた状態で、内レール１８１ａと外レール１８１ｂとの間に形成される球発射通路１８１ｃが内レール１８０ａと外レール１８０ｂとの間に形成される球発射通路１８０ｃと連通して配置されることにより、発射された遊技球は、球発射通路１８１ｃから球発射通路１８０ｃを通って遊技領域（上側領域４１ａ及び下側領域４１ｂ）内に誘導されるようになっている。ところで、図１５（Ｃ）に示すように、上部遊技盤４０ａの外レール１８０ｂは、下部遊技盤４０ｂの外レール１８１ｂに対して外側に配置されている。このため、打球発射時に外レール１８１ｂ上を転動した後に外レール１８０ｂ上を転動する遊技球の球流れは、外レール１８１ｂから外レール１８０ｂに移る際にもスムーズに行われるようになっている。また、上部遊技盤４０ａの内レール１８０ａは、下部遊技盤４０ｂの内レール１８１ａに対して外側に配置されている。このため、ファール時に内レール１８０ａ上を転動した後に内レール１８１ａ上を転動する遊技球の球流れは、内レール１８０ａから内レール１８１ａに移る際にもスムーズに行われるようになっている。なお、上部遊技盤の外レールと下部遊技盤の外レールとの間、及び上部遊技盤の内レールと下部遊技盤の内レールとの間をそれぞれ面一に配置することで、上部遊技盤と下部遊技盤との間での誘導レールにおける遊技球の球流れをスムーズに行わせるようにしてもよい。
【００６０】
透明な上部遊技盤４０ａの裏面側には、画像表示装置１００’が配置される。画像表示装置１００’は、上側領域４１ａよりは大きく且つ上部遊技盤４０ａの大きさよりは若干小さめの画像表示面１０１’を有し、前記画像表示装置１００と同様、透明な上部遊技盤４０ａを透して遊技領域（上側領域４１ａ）を画像表示するようになっている。なお、画像表示装置１００’は、画像表示装置１００と同様に、上下一対のフランジ片１０３の軸受け孔１０４が、枠基体３の遊技盤収容枠部３２の一側上下に設けられるヒンジ軸３ｄ（図１６参照）と係合することにより、枠基体３の遊技盤収容枠部３２に開閉自在に取り付けられる（図１７に示す閉鎖状態と図１８に示す開放状態とを参照）。また、枠基体３に対する画像表示装置１００’の閉鎖状態は、ツメ取付片１０５の丸形ツメ１０６が枠基体３の係止穴３４（図１６参照）と係合することで保持されるようになっている。
【００６１】
一方、電気部品（球検出スイッチ）が設けられる下部遊技盤４０ｂの裏面側には、入賞球誘導カバー体８０’が一体的に取り付けられる。入賞球誘導カバー体８０’は、前記入賞球誘導カバー体８０と同様に、後面壁８１と下部遊技盤４０ｂ裏面との間の空間により下側領域４１ｂ内に設けられる各種入賞口に入った遊技球を下部遊技盤４０ｂの裏面側で誘導するようになっている。
【００６２】
次に、上部遊技盤４０ａ及び下部遊技盤４０ｂの取り付け構造について説明すると、図１６に示すように、上部遊技盤４０ａの上側領域４１ａ以外となる一側上部には、前記遊技盤４０と同様に、枠基体３の一側上部に設けられる軸受け孔３ｃと係合するヒンジ軸１７０が設けられる。なお、ヒンジ軸１７０は、遊技盤４０に設けられたものと同様、軸部１７０ａ及びスプリング係合部１７０ｂを備え、軸部１７０ａが上部遊技盤４０ａに固定された取付円筒部材１７２に挿通された状態で、ヒンジ軸１７０を上方向に付勢するスプリング１７３がスプリング係合部１７０ｂに取り付けられることで、常時上方向に付勢された状態で上下方向に進退可能に取り付けられている。一方、上部遊技盤４０ａの上側領域４１ａ以外となる一側下部には、下部遊技盤４０ｂの一側上部に設けられるヒンジ軸１７１を挿入する挿入孔１７９が穿設されている。また、下部遊技盤４０ｂの下側領域４１ｂ以外となる一側上下には、それぞれヒンジ軸１７１が設けられる。下側のヒンジ軸１７１は、前記遊技盤４０と同様に、枠基体３の一側下部に設けられる軸受け孔３ｃと係合して取り付けられる。上側のヒンジ軸１７１は、枠基体３の一側中央部に取り付けられる軸受け金具１８３の軸受け孔１８３ａと係合した状態で上部遊技盤４０ａの挿入孔１７９に挿入される。
【００６３】
そして、上部遊技盤４０ａ及び下部遊技盤４０ｂを枠基体３に取り付ける際には、先ず、下部遊技盤４０ｂの上側のヒンジ軸１７１を枠基体３に取り付けられていない状態の軸受け金具１８３の軸受け孔１８３ａに係合させた状態で上部遊技盤４０ａの挿入孔１７９に挿入する。次に、下部遊技盤４０ｂの下側のヒンジ軸１７１を枠基体３の一側下部の軸受け孔３ｃに挿通し、この状態で、上部遊技盤４０ａのヒンジ軸１７０をスプリング１７３の付勢力に抗して下方に押し込みながら枠基体３の一側上部の軸受け孔３ｃの真下に持っていく。そこで、ヒンジ軸１７０の押し込みを解除することにより、ヒンジ軸１７０は、スプリング１７３の付勢力によって上方向に移動し、枠基体３の一側上部の軸受け孔３ｃに挿通する。そして、この状態から、軸受け金具１８３を枠基体３の一側中央部に取り付け固定する。これにより、上部遊技盤４０ａ及び下部遊技盤４０ｂは、一側上下のヒンジ軸１７０，１７１を回動軸として枠基体３の遊技盤収容枠部３２に対して開閉自在に取り付けられる。なお、このような取り付け状態において、上部遊技盤４０ａと下部遊技盤４０ｂは、軸受け金具１８３の軸受け孔１８３ａを介した挿入孔１７９とヒンジ軸１７１の係合によって連結された状態にある。このため、上部遊技盤４０ａと下部遊技盤４０ｂは、個々に枠基体３に対して開閉自在となっている。即ち、枠基体３の軸受け孔３ｃ，１８３ａと遊技盤（上部遊技盤４０ａ及び下部遊技盤４０ｂ）のヒンジ軸１７０，１７１とによって開閉ヒンジ機構を構成するようになっている。なお、このような開閉ヒンジ機構としては、枠基体側にヒンジ軸を設ける一方、遊技盤側に枠基体側のヒンジ軸と係合する軸受け孔を設けた構成としてもよい。また、上部遊技盤４０ａ及び下部遊技盤４０ｂの遊技領域（上側領域４１ａ、下側領域４１ｂ）以外となる他側上下には、それぞれ前記遊技盤４０と同様に、枠基体３に対する閉鎖状態を保持するための丸形ツメ１７４が設けられている。
【００６４】
また、上記したように遊技盤を上部遊技盤４０ａと下部遊技盤４０ｂに２分割で構成する場合、必ずしも個々の遊技盤４０ａ，４０ｂを開閉自在に設けることに限定しない。例えば、図１９の変形例に示すように、挿入孔１７９とヒンジ軸１７１の係合によって連結した上部遊技盤４０ａと下部遊技盤４０ｂを、額縁形状のフレーム部材１８２内に一体的に収容し、上部遊技盤４０ａのヒンジ軸１７０と下部遊技盤４０ｂの下側のヒンジ軸１７１とをそれぞれ枠基体３の上下一対の軸受け孔３ｃに係合して取り付ける。これにより、上部遊技盤４０ａ及び下部遊技盤４０ｂは、一側上下のヒンジ軸１７０，１７１を回動軸として枠基体３の遊技盤収容枠部３２に対して一体的に開閉自在に取り付けられる。また、このような構成とした場合には、上部遊技盤と下部遊技盤を一体化するフレーム部材に誘導レール（内レール、外レール）取り付けたり、フレーム部材の両隅部分に情報表示窓を設けるようにしてもよい。
【００６５】
なお、上記したように遊技盤を上部遊技盤と下部遊技盤とに２分割形成した場合、上部遊技盤と下部遊技盤のそれぞれの接合面を段掘り形成することで下部遊技盤の厚みを調整して、上部遊技盤と下部遊技盤を組み付けた状態で、遊技領域の上側領域と下側領域とが面一となるようにしてもよい。また、このような上部遊技盤及び下部遊技盤の各接合面又は上部遊技盤の下端部を不透明材質でマスクするようにしてもよい。
【００６６】
また、上記した実施形態では、画像表示装置を液晶タイプとして構成しているが、これに限定するものではない。例えば、図２０の変形例に示すように、投影式画像表示装置１９０としてもよい。投影式画像表示装置１９０は、図２０（Ｂ）に示すように、投影機１９１と、該投影機１９１の前側に一体的に取り付けられる四角錐形状のフレーム１９２とを備えている。投影機１９１は、透過型の液晶表示セルと、該液晶表示セルに光を与える光源と、液晶表示セルに映し出される画像を拡大表示するレンズ系（共に図示しない）とによって構成され、フレーム１９２前端の四角形状をなす画像表示開口１９２ａに向って画像を投影表示するようになっている。
【００６７】
また、投影式画像表示装置１９０の前方に配置される構成部材は、光透過性スクリーン１９３と透明保護板１９４（共に図２０（Ｃ）参照）が配置されることを除けば、その他の構成は前記実施形態と同様に構成されている。具体的には、図２０（Ａ）〜（Ｄ）及び図２１（Ａ）に示すように、投影式画像表示装置１９０の前方には、普通可変入賞球装置５８（始動球検出器６０）や特別可変入賞球装置４８（特定球検出器５１、入賞個数検出器５２）等の電気部品、投影式画像表示装置１９０の投影画像によって構成される特別可変表示装置４４の可変表示部４４ａ、該可変表示部４４ａの外周部分を装飾するワープ通路６８を備えた装飾部材６６等が遊技領域４１に設けられる透明な遊技盤４０と、該遊技盤４０の各種入賞口に入った遊技球を遊技盤４０の裏面側で誘導するための球誘導通路８６を形成する透明な入賞球誘導カバー体８０とが配置される。なお、このような構成において、球誘導通路８６は、透明保護板１９４と入賞球誘導カバー体８０の後面壁８１との間の空間によって形成される。
【００６８】
ところで、上記した光透過性スクリーン１９３及び透明保護板１９４は、図２０（Ｃ）に示すように、遊技盤４０と入賞球誘導カバー体８０の間に積層状態で配置され、入賞球誘導カバー体８０の裏面に投影式画像表示装置１９０の画像表示開口１９２ａが当接して配置される。光透過性スクリーン１９３は、アクリル樹脂、ポリカーボネート、ガラス等から構成され、投影式画像表示装置１９０の画像を投影する投影面（画像表示面）となる。また、透明保護板１９４は、光透過性スクリーン１９３の裏面全体を被覆するように配置されることで、入賞球誘導カバー体８０の球誘導通路８６を通過する遊技球から光透過性スクリーン１９３を保護する。これにより、投影式画像表示装置１９０は、透明な入賞球誘導カバー体８０、透明保護板１９４、及び光透過性スクリーン１９３を介して可変表示部４４ａを含む遊技領域４１の画像を透明な遊技盤４０の表面に映し出すようになっている。
【００６９】
なお、遊技盤４０に設けられる始動球検出器６０等の球検出スイッチ１６１の接続配線１６０は、前記実施形態と同様、図２１（Ａ）に示すように、球誘導通路８６を形成する通路形成リブ８７の外側壁面に沿って配置されるものであるが、これに限らず、図２１（Ｂ）に示すように、接続配線１６０を投影面となる光透過性スクリーン１９３から離反する方向に延ばし、光透過性スクリーン１９３と投影式画像表示装置１９０との間の空間に配置するようにしてもよい。このように構成することにより、画像表示面となる遊技領域４１を目視した際の視認性の阻害要因を極力減少させることができ、ひいては画像表示面の視認性をより一層高めることができる。
【００７０】
次に、投影式画像表示装置１９０の取り付け構造について説明すると、投影式画像表示装置１９０には、図２２に示すように、画像表示開口１９２ａの外周部分に鍔形状をなす取付フランジ部１９２ｂが全周に亘って一体成形されており、取付フランジ部１９２ｂの四隅部分には、前記丸形ツメ８３と同様の丸形ツメ１９５が設けられている。そして、この丸形ツメ１９５を枠基体３に穿設される係止穴３３に係止することで、投影式画像表示装置１９０が枠基体３の裏面に取り付け固定されるようになっている。なお、透明板保持枠４、入賞球誘導カバー体８０を一体的に取り付けた遊技盤４０、枠基体３、機構板１４０、外枠２、主制御基板１２０を収容した基板ボックス１２１と演出制御基板９０を収容した基板ボックス１２４と中継基板９１を一体的に取り付けた基板ベース１２６、該基板ベース１２６に取り付けられる基板カバー１２５は、図２２に示すように、前記実施形態の取り付け構造と同様である。但し、基板ベース１２６の取り付け構造については、これに限定せず（機構板１４０の裏面に取り付ける構造）、図２３に示す取り付け構造としてもよい。即ち、投影式画像表示装置１９０の後端面に取付基板１９６を一体的に取り付け、該取付基板１９６に穿設された係止穴１９６ａに基板ベース１２６の丸形ツメ１２７を係止することで、投影式画像表示装置１９０の後面に基板ベース１２６を一体的に取り付けるようにしてもよい。
【００７１】
以上のように、画像表示装置を投影式画像表示装置で構成すると共に、該投影式画像表示装置と画像表示面となる遊技盤（光透過性スクリーン）との間に球誘導通路を設けた場合、遊技領域の全域を画像表示する構成において、画像表示の阻害要因を減少させることができ（具体的には、画像表示面に遊技球の影が映る程度で遊技者側からは直接遊技球は見えない）、ひいては画像表示面の視認性を向上することができる。
【００７２】
また、画像表示装置を投影式画像表示装置で構成した場合、球誘導通路８６を形成する入賞球誘導カバー体８０の後面壁８１及び透明保護板１９４の対向面を平面状にして、後面壁８１と透明保護板１９４との間の空間を全体的に球誘導通路として構成することが望ましい。このような構成とすることで、球誘導通路内での遊技球の落下速度を高めることができるので、画像表示面に映る遊技球の影を目視しずらくでき、リブ等の障害がないことに加えて、画像表示面の視認性をより一層向上することができる。
【００７３】
また、上記した実施形態では、遊技盤の裏面側（後方）に設けられて遊技盤との間で球誘導通路を形成する後部透明板を遊技盤の裏面に一体的に取り付けた構成としているが、これに限定するものではない。例えば、図２４の変形例に示すように、入賞球誘導カバー体８０と遊技盤４０との間を開閉自在な構成としてもよい。こうすることで、遊技盤４０の裏面側及び入賞球誘導カバー体８０の球誘導通路８６内の清掃が容易に行え、ひいては遊技盤４０及び入賞球誘導カバー体８０の汚れによる画像表示面１０１の視認性の劣化や球誘導通路８６内での球詰まりを防止することができる。なお、図２４中では、入賞球誘導カバー体８０の一側に軸受け孔１９７を設け、該軸受け孔１９７を枠基体３に設けられるヒンジ軸３ｆに係合して取り付けることで、入賞球誘導カバー体８０を枠基体３に対して開閉自在に取り付けた構成としているが、これに限らず、入賞球誘導カバー体と遊技盤との間を開閉自在にする入賞球誘導カバー体の取り付け構造であればいずれの構成であってもよい。例えば、遊技盤の裏面に入賞球誘導カバー体を開閉自在に取り付ける構造であってもよい。
【００７４】
ところで、以上説明した実施形態（変形例を含む）の弾球遊技機では、遊技盤の各種入賞口に入った遊技球を誘導するための球誘導通路を形成する入賞球誘導カバー体を遊技盤の後面側に設けた構成としているが、入賞球誘導カバー体を遊技盤の前面側に設けた構成としてもよい。以下、この構成を図２５乃至図３０を参照して説明する。図２５及び図２６に示す弾球遊技機１’では、遊技盤４０の各種入賞口に入った遊技球を誘導するための透明な入賞球誘導カバー体２００を遊技盤４０の前面側に設けている。即ち、弾球遊技機１’を構成する画像表示装置１００は、図２７に示すように、その画像表示面１０１が透明な遊技盤４０の裏面と当接した状態で配置されることにより、可変表示部４４ａを含む遊技領域４１の画像を画像表示面１０１に映し出して透明な遊技盤４０を透し、然もその表示画像が透明な入賞球誘導カバー体２００及び複層ガラス板５ａを透して遊技者に視認可能な構成となっている。従って、画像表示装置１００の画像表示面１０１と画像表示装置１００の画像を透視表示する遊技領域４１の表面とを近接して配置することができ、ひいては遊技領域４１での遊技球の流下と画像表示との間で一体感を持たせることができる。
【００７５】
入賞球誘導カバー体２００は、その前面壁２０１と遊技盤４０表面との間が遊技球の直径よりも僅かに大きい間隔を持って平行状に組み付けられる。前面壁２０１と遊技盤４０表面との間の空間における各種入賞口（普通可変入賞球装置５８、特別可変入賞球装置４８等）の下流部分には、球検出スイッチ（始動球検出器６０、特定球検出器５１、入賞個数検出器５２等）を通過した遊技球を入賞球誘導カバー体２００（前面壁２０１）の前面側へ誘導する入賞口通路２０２が設けられ、該入賞口通路２０２の前端開口が遊技球を入賞球誘導カバー体２００（前面壁２０１）の前面側へ排出する入賞口排出口２０３として形成されている（図２７（Ａ）参照）。また、入賞球誘導カバー体２００の下端部分には、遊技領域４１内のいずれの入賞口にも入賞しなかった遊技球をアウト球として遊技盤４０の裏面側に取り込むためのアウト口２０４（弾球遊技機１のアウト口４７に相当するもの）が形成されている（図２７（Ｂ）参照）。
【００７６】
入賞球誘導カバー体２００の四隅部分、言い換えれば画像表示装置１００における画像表示面１０１の透視範囲（遊技領域４１）以外となる部位には、取付フランジ部２０５が形成され、該取付フランジ部２０５には、入賞球誘導カバー体２００を遊技盤４０の表面に着脱自在に取り付けるプッシュ・プル式の丸形ツメ２０６が設けられている。なお、遊技盤４０に設けられる球検出スイッチの接続配線１６０は、遊技盤４０に穿設される図示しない配線挿通孔を通された後、遊技盤４０裏面と画像表示装置１００の画像表示面１０１との間で挟持された状態で遊技盤４０の裏面側に引き出されるようになっている。
【００７７】
また、上記した入賞球誘導カバー体２００の前面壁２０１は、図２５のＡ−Ａ線断面図となる図２７（Ａ）（Ｂ）に示すように、その前方を視認可能に被覆する透明板保持枠４の複層ガラス板５ａ（２層のうちの後側のガラス板）との間で遊技球の直径よりも僅かに大きい間隔を持って平行状に組み付けられ、その間隔が遊技盤４０の各種入賞口に入った遊技球（入賞口通路２０２を流下した遊技球）を入賞球誘導カバー体２００（前面壁２０１）の前面側で誘導するための球誘導通路２０７を構成するようになっている。一方、複層ガラス板５ａを取り付ける透明板保持枠４の裏面には、図２６に示すように、球誘導通路２０７の下端面を構成するフランジ片２０８が円形透視窓５の下側半分の円周部分に立設されており、その下端部分には、フランジ片２０８に沿って流下した遊技球をセーフ球（入賞球）として遊技盤４０の裏面側に取り込むためのセーフ口２０９が形成されている（図２７（Ａ）参照）。なお、球誘導通路２０７の下端面となるフランジ片２０８の上面には、遊技球の落下衝撃力を緩衝するための衝撃吸収部材２０８ａ（例えば、ゴム等）が設けられている。遊技球の落下衝撃力を緩衝するための部材は、ゴム等の弾性部材からなる衝撃吸収部材に限らず、ウレタン系等の衝撃吸収材やステンレス板等の静振鋼板からなる補強部材等であってもよい。また、球誘導通路２０７を形成する複層ガラス板５ａ及び入賞球誘導カバー体２００（前面壁２０１）の内壁面には、それぞれ遊技球の落下衝撃力を緩衝する透明な突状衝撃吸収部材２１０（例えば、シリコン系やウレタン系等の透明衝撃吸収材）が設けられている。このような突状衝撃吸収部材の構成としては、複数の突起を表面に設けたシート状のものであってもいいし、１つの突起を備えたもので、これを複数個並べて設けるようにしてもよい。
【００７８】
次に、入賞球誘導カバー体２００を一体的に取り付けた遊技盤４０の取り付け構造について説明する。遊技盤４０は、前記実施形態と同様、図２８及び２９に示すように、遊技領域４１以外となる一側上下にヒンジ軸１７０，１７１が設けられ、該ヒンジ軸１７０，１７１が枠基体３における遊技盤収容枠部３２の一側上下に設けられる軸受け孔３ｃと係合して取り付けられることで、枠基体３に対して開閉自在に設けられる。一方、枠基体３における遊技盤収容枠部３２の他側上下には、枠基体３に対して閉鎖状態にある遊技盤４０を固定するための係止部材２１１が設けられている。係止部材２１１は、遊技盤４０の遊技領域４１の外側となる側端部分と係合することで遊技盤４０の閉鎖状態を保持する係止片２１１ａと、該係止片２１１ａを枠基体３に対して回動自在に軸支する回動軸２１１ｂと、から構成されている。そして、回動軸２１１ｂを中心として係止片２１１ａを遊技盤４０の側端部分と係合する位置に回動操作することで、入賞球誘導カバー体２００を一体的に取り付けた遊技盤４０の枠基体３に対する閉鎖状態が保持される。一方、回動軸２１１ｂを中心として係止片２１１ａを遊技盤４０の側端部分との係合を解除する位置に回動操作することで、入賞球誘導カバー体２００を一体的に取り付けた遊技盤４０の閉鎖状態の保持が解除され、遊技盤４０が開放可能になる。なお、透明板保持枠４、枠基体３、画像表示装置１００、機構板１４０、外枠２、主制御基板１２０を収容した基板ボックス１２１と演出制御基板９０を収容した基板ボックス１２４と中継基板９１を一体的に取り付けた基板ベース１２６、該基板ベース１２６に取り付けられる基板カバー１２５は、図２８に示すように、前記実施形態の取り付け構造と同様である。
【００７９】
また、入賞球誘導カバー体２００を一体的に取り付けた遊技盤４０は、必ずしも枠基体３に対して開閉自在に設ける必要はない。例えば、図３０に示すように、係止片２１１ａ及び回動軸２１１ｂからなる前述の係止部材２１１を遊技盤収容枠部３２の両側上下の前後両面に設け、遊技盤収容枠部３２の前面側の係止部材２１１と後面側の係止部材２１１との間で入賞球誘導カバー体２００を一体的に取り付けた遊技盤４０を取り付け保持するようにしてもよい。
【００８０】
以上のように、本実施形態（変形例を含む）の構成によれば、透明板で構成された遊技盤（４０）と、該遊技盤に形成された遊技領域（４１）に配置されて遊技領域を流下する遊技球の障害となる障害部材（例えば、障害釘４３）と、前記遊技盤の後方に配置されて遊技演出に用いられる画像表示装置（１００）と、を備えた遊技機（弾球遊技機１）であって、前記遊技盤と前記画像表示装置との間には、遊技用の電気部品（例えば、始動球検出器６０等の球検出スイッチ１６１）が配置され、該電気部品の接続配線（１６０）は、絶縁部材（１６０ａ）の内部に複数の導電性部材（１６０ｂ）を積層配置した構造であることを特徴とする。このように構成することにより、電気部品の接続配線を構成する複数の導電性部材を積層構造とすることで配線自体を目立たなくすることができ、ひいては画像表示装置における画像表示面の視認性を低下させることなく、透明板と画像表示装置との間に電気部品を配置することができる。
【００８１】
また、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線（１６０’）は、絶縁部材（１６０’ａ）の内部に複数の導電性部材（１６０’ｂ）を並列配置した構造であることを特徴とする。このように構成することにより、電気部品の接続配線を構成する複数の導電性部材を並列配置した構造とすることで配線自体を目立たなくすることができ、ひいては画像表示装置における画像表示面の視認性を低下させることなく、透明板と画像表示装置との間に電気部品を配置することができる。
【００８２】
また、前記絶縁部材は、透明な材質であることを特徴とする。このように構成することにより、複数の導電性部材を被覆する絶縁部材を透明な材質とすることで、より一層配線自体を目立たなくすることができる。
【００８３】
また、前記画像表示装置を投影式画像表示装置（１９０）で構成すると共に、前記遊技盤又は該遊技盤の後方に配置される後部透明板（入賞球誘導カバー体８０）に前記投影式画像表示装置が画像を投影する投影面を形成し、前記電気部品の接続配線を前記投影面から離反する方向に延ばし、投影面と投影式画像表示装置との間の空間に配置したことを特徴とする。このように構成することにより、画像表示面を目視した際の視認性の阻害要因を極力減少させることができ、ひいては画像表示面の視認性をより一層高めることができる。
【００８４】
また、前記電気部品は、遊技球の通過を検出する球検出スイッチ（１６１）であると共に、前記遊技盤の後方に後部透明板を配置し、前記遊技盤に遊技球の入球孔（普通可変入賞球装置５８や通常入賞口５４ａ，ｂ等）を設けると共に、前記遊技盤と前記後部透明板との間には前記入球孔に入った遊技球を前記球検出スイッチに誘導するための球誘導通路（８６）を形成する通路形成リブ（８７）を設け、前記球検出スイッチの接続配線を前記通路形成リブに沿って配置したことを特徴とする。このように構成することにより、画像表示面を目視した際の視認性の阻害要因を極力減少させることができ、ひいては画像表示面の視認性をより一層高めることができる。
【００８５】
また、前記球検出スイッチの接続配線は、前記通路形成リブの外側壁面に沿って配置されることを特徴とする。このように構成することにより、視認性の阻害要因をより一層減少させることができる。
【００８６】
また、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線（プラス配線１６３ａ及びマイナス配線１６３ｂ）は、前記遊技盤又は該遊技盤の後方に配置される後部透明板（入賞球誘導カバー体８０）に透明電極（後面壁８１ｂ〜８１ｇ）によってパターン蒸着されることを特徴とする。このように構成することにより、電気部品の接続配線を透明電極で形成することで配線自体を目立たなくすることができ、ひいては画像表示装置における画像表示面の視認性を低下させることなく、透明板と画像表示装置との間に電気部品を配置することができる。
【００８７】
また、前記遊技盤と前記画像表示装置との間に配置される電気部品を複数設け、該複数の電気部品におけるそれぞれの接続配線を束ねて単一のコネクタ（１６２）に集約すると共に、当該コネクタを前記遊技領域以外に設けられる電気基板（電源基板９７）と接続したことを特徴とする。このように構成することにより、複数の接続配線を束ねて単一のコネクタに集約することで、組み付け時及びメンテナンス時における配線接続の接続作業性を向上することができる。
【００８８】
なお、実施形態中（変形例を含む）では、弾球遊技機の構成として、始動球検出器の入賞球の検出に伴って可変表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動球検出器の入賞球の検出に伴って可変入賞球装置を開放し、該可変入賞球装置内の特定領域への打球の入賞により特定遊技状態を発生する弾球遊技機（これを俗に第２種という）や、始動球検出器の入賞球の検出に伴って可変表示装置での識別情報の変動を開始し、該識別情報が所定の表示結果となると権利発生状態となり、この状態で特定領域に打球が入賞すると特定遊技状態が発生する弾球遊技機（これを俗に第３種という）であってもよく、さらにはコインゲーム等の遊技機であってもよい。
【００８９】
【発明の効果】
以上、説明したところから明らかなように、請求項１の発明においては、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線は、絶縁部材の内部に複数の導電性部材を積層配置した構造であることを特徴とする。このように構成することにより、電気部品の接続配線を構成する複数の導電性部材を積層構造とすることで配線自体を目立たなくすることができ、ひいては画像表示装置における画像表示面の視認性を低下させることなく、透明板と画像表示装置との間に電気部品を配置することができる。
【００９０】
また、請求項２の発明においては、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線は、絶縁部材の内部に複数の導電性部材を並列配置した構造であることを特徴とする。このように構成することにより、電気部品の接続配線を構成する複数の導電性部材を並列配置した構造とすることで配線自体を目立たなくすることができ、ひいては画像表示装置における画像表示面の視認性を低下させることなく、透明板と画像表示装置との間に電気部品を配置することができる。
【００９１】
また、請求項３の発明においては、前記絶縁部材は、透明な材質であることを特徴とする。このように構成することにより、複数の導電性部材を被覆する絶縁部材を透明な材質とすることで、より一層配線自体を目立たなくすることができる。
【００９２】
また、請求項４の発明においては、前記画像表示装置を投影式画像表示装置で構成すると共に、前記遊技盤又は該遊技盤の後方に配置される後部透明板に前記投影式画像表示装置が画像を投影する投影面を形成し、前記電気部品の接続配線を前記投影面から離反する方向に延ばし、投影面と投影式画像表示装置との間の空間に配置したことを特徴とする。このように構成することにより、画像表示面を目視した際の視認性の阻害要因を極力減少させることができ、ひいては画像表示面の視認性をより一層高めることができる。
【００９３】
また、請求項５の発明においては、前記電気部品は、遊技球の通過を検出する球検出スイッチであると共に、前記遊技盤の後方に後部透明板を配置し、前記遊技盤に遊技球の入球孔を設けると共に、前記遊技盤と前記後部透明板との間には前記入球孔に入った遊技球を前記球検出スイッチに誘導するための球誘導通路を形成する通路形成リブを設け、前記球検出スイッチの接続配線を前記通路形成リブに沿って配置したことを特徴とする。このように構成することにより、画像表示面を目視した際の視認性の阻害要因を極力減少させることができ、ひいては画像表示面の視認性をより一層高めることができる。
【００９４】
また、請求項６の発明においては、前記球検出スイッチの接続配線は、前記通路形成リブの外側壁面に沿って配置されることを特徴とする。このように構成することにより、視認性の阻害要因をより一層減少させることができる。
【００９５】
また、請求項７の発明においては、透明板で構成された遊技盤と、該遊技盤に形成された遊技領域に配置されて遊技領域を流下する遊技球の障害となる障害部材と、前記遊技盤の後方に配置されて遊技演出に用いられる画像表示装置と、を備えた遊技機であって、前記遊技盤と前記画像表示装置との間には、遊技用の電気部品が配置され、該電気部品の接続配線は、前記遊技盤又は該遊技盤の後方に配置される後部透明板に透明電極によってパターン蒸着されることを特徴とする。このように構成することにより、電気部品の接続配線を透明電極で形成することで配線自体を目立たなくすることができ、ひいては画像表示装置における画像表示面の視認性を低下させることなく、透明板と画像表示装置との間に電気部品を配置することができる。
【００９６】
また、請求項８の発明においては、前記遊技盤と前記画像表示装置との間に配置される電気部品を複数設け、該複数の電気部品におけるそれぞれの接続配線を束ねて単一のコネクタに集約すると共に、当該コネクタを前記遊技領域以外に設けられる電気基板と接続したことを特徴とする。このように構成することにより、複数の接続配線を束ねて単一のコネクタに集約することで、組み付け時及びメンテナンス時における配線接続の接続作業性を向上することができる。
【図面の簡単な説明】
【図１】本発明の一実施形態における弾球遊技機を示す正面図である。
【図２】弾球遊技機の裏面を示す背面図である。
【図３】透明板保持枠及び遊技盤の開放状態を示す斜視図である。
【図４】弾球遊技機の分解斜視図である。
【図５】遊技盤を示す説明図である。
【図６】球検出スイッチが取り付けられた遊技盤を示す説明図である。
【図７】遊技盤に設けられる球検出スイッチを示す説明図である。
【図８】変形例における球検出スイッチの接続構造を示す説明図である。
【図９】画像表示装置を示す説明図である。
【図１０】主制御基板、演出制御基板、及び中継基板を一体的に取り付けた基板ベースと基板カバーを示す説明図である。
【図１１】主制御基板の回路構成を示すブロック図である。
【図１２】透明板保持枠、遊技盤、及び画像表示装置の開放状態を示す斜視図である。
【図１３】変形例における画像表示装置の取り付け構造を示す弾球遊技機の分解斜視図である。
【図１４】変形例における画像表示装置の取り付け構造を示す弾球遊技機の分解斜視図である。
【図１５】変形例の上部遊技盤及び下部遊技盤からなる遊技盤を示す説明図である。
【図１６】上部遊技盤及び下部遊技盤を備えた変形例の弾球遊技機を示す分解斜視図である。
【図１７】変形例の上部遊技盤及び下部遊技盤の開放状態を示す斜視図である。
【図１８】変形例の上部遊技盤、下部遊技盤、及び画像表示装置の開放状態を示す斜視図である。
【図１９】変形例のフレーム部材内に収容された上部遊技盤及び下部遊技盤を示す説明図である。
【図２０】変形例における投影式画像表示装置を裏面側に配置した遊技盤を示す説明図である。
【図２１】変形例の投影式画像表示装置が配置された遊技盤に設けられる球検出スイッチを示す説明図である。
【図２２】変形例の投影式画像表示装置を備えた弾球遊技機の分解斜視図である。
【図２３】投影式画像表示装置を備えた弾球遊技機の取り付け構造の変形例を示す分解斜視図である。
【図２４】変形例の遊技盤に対する入賞球誘導カバー体の開放状態を示す斜視図である。
【図２５】変形例の弾球遊技機を示す正面図である。
【図２６】入賞球誘導カバー体を前面側に取り付けた変形例における遊技盤の開放状態を示す斜視図である。
【図２７】遊技盤の前面側に形成された変形例の球誘導通路を示す図２５のＡ−Ａ線断面図である。
【図２８】変形例における弾球遊技機の分解斜視図である。
【図２９】入賞球誘導カバー体を前面側に取り付けた変形例における遊技盤の取り付け構造を示す正面図である。
【図３０】入賞球誘導カバー体を前面側に取り付けた遊技盤の取り付け構造における変形例を示す正面図である。
【符号の説明】
１，１’  弾球遊技機（遊技機）
２  外枠
３  枠基体
３ｃ  軸受け孔
３ｄ  ヒンジ軸
４  透明板保持枠
５ａ  複層ガラス板
４０  遊技盤
４０ａ  上部遊技盤
４０ｂ  下部遊技盤
４１  遊技領域
４１ａ  上側領域
４１ｂ  下側領域
４２  誘導レール
４３  障害釘（障害部材）
４４  特別可変表示装置
４４ａ  可変表示部
４５ａ，４５ｂ  球誘導通路
４８  特別可変入賞球装置
５５ａ，５５ｂ  通常入賞口
５８  普通可変入賞球装置
６０  始動球検出器
６６  装飾部材
６８  ワープ通路
６９  壁部材
７０  球転動部
７１  第１球排出口
７２  第２球排出口
８０，８０’  入賞球誘導カバー体（後部透明板）
８１  後面壁
８１ｂ〜８１ｇ  後面壁（透明電極）
８３，１０６，１２７，１７４，１９５，２０６  丸形ツメ
８６  球誘導通路
８７  通路形成リブ
８９ａ  衝撃吸収部材
９０  演出制御基板
９１  中継基板
１００，１００’  画像表示装置
１０１  画像表示面
１０４  軸受け孔
１２０  主制御基板
１２１，１２４  基板ボックス
１２５  基板カバー
１２６  基板ベース
１４０  機構板
１６０，１６０’  接続配線
１６０ａ，１６０’ａ  絶縁部材
１６０ｂ，１６０’ｂ  導電性部材
１６１  球検出スイッチ
１６２，１６２’  コネクタ
１６３ａ  プラス配線
１６３ｂ  マイナス配線
１７０，１７１  ヒンジ軸
１７４  丸形ツメ
１８０，１８１  誘導レール
１８０ａ，１８１ａ  内レール
１８０ｂ，１８１ｂ  外レール
１８２  フレーム部材
１８３  軸受け金具
１８３ａ  軸受け孔
１９０  投影式画像表示装置
１９３  光透過性スクリーン
１９４  透明保護板
２００  入賞球誘導カバー体
２０１  前面壁
２０２  入賞口通路
２０７  球誘導通路
２０８ａ  衝撃吸収部材
２１０  突状衝撃吸収部材
【図１】
2004167161.tif 000003
【図２】
2004167161.tif 000004
【図３】
2004167161.tif 000005
【図４】
2004167161.tif 000006
【図５】
2004167161.tif 000007
【図６】
2004167161.tif 000008
【図７】
2004167161.tif 000009
【図８】
2004167161.tif 000010
【図９】
2004167161.tif 000011
【図１０】
2004167161.tif 000012
【図１１】
2004167161.tif 000013
【図１２】
2004167161.tif 000014
【図１３】
2004167161.tif 000015
【図１４】
2004167161.tif 000016
【図１５】
2004167161.tif 000017
【図１６】
2004167161.tif 000018
【図１７】
2004167161.tif 000019
【図１８】
2004167161.tif 000020
【図１９】
2004167161.tif 000021
【図２０】
2004167161.tif 000022
【図２１】
2004167161.tif 000023
【図２２】
2004167161.tif 000024
【図２３】
2004167161.tif 000025
【図２４】
2004167161.tif 000026
【図２５】
2004167161.tif 000027
【図２６】
2004167161.tif 000028
【図２７】
2004167161.tif 000029
【図２８】
2004167161.tif 000030
【図２９】
2004167161.tif 000031
【図３０】
2004167161.tif 000032